(57)【要約】【課題】ＬＥＤ光源部を交換した場合であっても、安全回路の誤作動を回避でき、ＬＥＤの輝度を適正に保つことができるＬＥＤ点灯装置を提供することである。【解決手段】ＬＥＤ光源部１９の電圧調整用素子３６は、ＬＥＤ光源部１９の所定個数のＬＥＤ３０に直列に接続され、ＬＥＤ３０が正常であるときはＬＥＤ光源部１９の所定個数のＬＥＤ３０の電圧を安全回路３５の閾値以上に保持する。安全回路３５は、電圧調整用素子３６が直列接続されたＬＥＤ光源部１９の所定個数のＬＥＤ３０の電圧が閾値未満となったときは、ＬＥＤ３０の短絡故障と判定し、ＬＥＤ光源部１９への電力供給を停止する。【選択図】  図１
2010205453.tif 000002
【特許請求の範囲】
【請求項１】
商用電源からの交流を直流に変換する常時電源回路と；
常時には前記常時電源回路からの直流電力でＬＥＤ光源部のＬＥＤを点灯する常時ＬＥＤ点灯回路と；
常時には前記商用電源からの電力を充電するバッテリと；
前記商用電源が停電となった非常時には前記バッテリからの直流電圧を前記ＬＥＤ光源部へ供給してＬＥＤを点灯する非常時電源回路と；
前記ＬＥＤ光源部の直列接続された所定個数のＬＥＤの電圧が閾値未満となったときは前記ＬＥＤの短絡故障と判定し前記ＬＥＤ光源部への電力供給を停止する安全回路と；
前記ＬＥＤ光源部の所定個数のＬＥＤに直列に接続され前記ＬＥＤが正常であるときは前記ＬＥＤ光源部の所定個数のＬＥＤの電圧を前記安全回路の閾値以上に保持する電圧調整用素子と；
を備えたことを特徴とするＬＥＤ点灯装置。
【請求項２】
前記常時ＬＥＤ点灯回路及び前記非常時電源回路から前記ＬＥＤ光源部のＬＥＤに供給する点灯用電流を設定するための電流設定部を前記ＬＥＤ光源部に設けたことを特徴とする請求項１記載のＬＥＤ点灯装置。
【発明の詳細な説明】
【技術分野】
【０００１】
本発明は、商用電源またはバッテリ電源を用いてＬＥＤを点灯するＬＥＤ点灯装置に関する。
【背景技術】
【０００２】
例えば、避難通路等の案内表示を行うための照明装置としては誘導灯や非常灯があり、光源としてＬＥＤを用いたものが採用されるようになっている。常時は商用電源からの電力で光源であるＬＥＤを点灯し、商用電源の停電などの非常時にはバッテリからの電力で光源であるＬＥＤを点灯するようにしている（例えば、特許文献１参照）。
【０００３】
ＬＥＤ誘導灯においては必要輝度が法的に定められているため、長時間使用しＬＥＤの輝度が低減した場合はＬＥＤを交換する必要がある。ＬＥＤの交換が可能な光源装置としては、発光ダイオード素子モジュールに電力を供給する電源側接続部に着脱自在に接続され且つ発光ダイオード素子に電気的に接続された基板側接続部を備えていることにより、発光ダイオード素子モジュールを交換することで発光ダイオード素子を交換できるようにしたものがある（例えば、特許文献１参照）。
【先行技術文献】
【特許文献】
【０００４】
【特許文献１】特開２００２−３０４９０２号公報
【発明の概要】
【発明が解決しようとする課題】
【０００５】
しかし、特許文献１のものではＬＥＤの交換は可能であるが、交換したＬＥＤの特性の違いから生ずる短絡故障判定の安全回路の閾値や輝度の調整についての考慮がない。ＬＥＤは年々効率が上がっており、実際にＬＥＤを交換する時期のＬＥＤは、交換前のＬＥＤに比較して、電気特性も変化しており、例えば、ＬＥＤ端子電圧Ｖｆを低下させて効率アップさせたものが開発されている。そのようなＬＥＤを使用した場合には、ＬＥＤの短絡故障判定の安全回路の閾値未満となり、安全回路が誤動作する可能性がある。
【０００６】
また、実際にＬＥＤを交換する時期には、さらに効率のよいＬＥＤが商品化されており、そのＬＥＤを使用した場合には、輝度が上限を超える場合がある。図７は従来のＬＥＤ点灯装置の常時及び非常時の点灯回路部分の一例の説明図である。常時においては、ＬＥＤ光源部１９のＬＥＤ３０を流れる点灯用電流を定電流フィードバック回路２０を介してフィードバックし、常時ＬＥＤ点灯回路１６は点灯制御回路２２を介してＬＥＤ光源部１９に点灯用電流を制御する。定電流フィードバック回路２０を介してフィードバックされた点灯電流は、常時ＬＥＤ点灯回路１６の電流検出抵抗３１に入力される。常時ＬＥＤ点灯回路１６の演算部３２は、電流検出抵抗３１の電圧値が所定値に維持されるようにＬＥＤ光源部１９の点灯用電流を演算して点灯制御回路２２に出力する。
【０００７】
すなわち、ＬＥＤ光源部１９に供給する点灯用電流は、常時ＬＥＤ点灯回路１６の電流検出抵抗３１で定められるので、交換前のＬＥＤ光源部１９に適した点灯用電流を流すように設定されている。従って、効率のよいＬＥＤを用いたＬＥＤ光源部１９に交換した場合には、交換前のＬＥＤ光源部１９より輝度が高くなる。
【０００８】
一方、商用電源が停電となった非常時には、非常時電源回路２５は、ＬＥＤ光源部１９のＬＥＤ３０を流れる点灯用電流を入力して、図示省略のバッテリからの直流電圧を昇圧してＬＥＤ光源部の点灯用の非常用電源を点灯制御回路２２を介してＬＥＤ光源部１９に供給する。この場合も、ＬＥＤ光源部１９のＬＥＤ３０を流れる点灯用電流は、非常時電源回路２５の図示省略の電流検出抵抗に入力され、非常時電源回路２５は、電流検出抵抗の電圧値が所定値に維持されるようにＬＥＤ光源部１９の点灯用電流を演算して点灯制御回路２２に出力することになる。
【０００９】
非常時において、ＬＥＤ光源部１９に供給する点灯用電流は、非常時電源回路２５の電流検出抵抗で定められるので、非常時においても、交換前のＬＥＤ光源部１９に適した点灯用電流を流すように設定されている。従って、効率のよいＬＥＤを用いたＬＥＤ光源部１９に交換した場合には、交換前のＬＥＤ光源部１９より輝度が高くなる。
【００１０】
本発明の目的は、ＬＥＤ光源部を交換した場合であっても、安全回路の誤作動を回避でき、ＬＥＤの輝度を適正に保つことができるＬＥＤ点灯装置を提供することである。
【課題を解決するための手段】
【００１１】
請求項１の発明に係わるＬＥＤ点灯装置は、
商用電源からの交流を直流に変換する常時電源回路と；
常時には前記常時電源回路からの直流電力でＬＥＤ光源部のＬＥＤを点灯する常時ＬＥＤ点灯回路と；
常時には前記商用電源からの電力を充電するバッテリと；
前記商用電源が停電となった非常時には前記バッテリからの直流電圧を前記ＬＥＤ光源部へ供給してＬＥＤを点灯する非常時電源回路と；
前記ＬＥＤ光源部の直列接続された所定個数のＬＥＤの電圧が閾値未満となったときは前記ＬＥＤの短絡故障と判定し前記ＬＥＤ光源部への電力供給を停止する安全回路と；
前記ＬＥＤ光源部の所定個数のＬＥＤに直列に接続され前記ＬＥＤが正常であるときは前記ＬＥＤ光源部の所定個数のＬＥＤの電圧を前記安全回路の閾値以上に保持する電圧調整用素子と；
を備えたことを特徴とするＬＥＤ点灯装置。
【００１２】
本発明および以下の発明において、特に指定しない限り用語の定義および技術的意味は以下による。
【００１３】
ＬＥＤ点灯装置は、商用電源またはバッテリ電源を用いて、光源としてＬＥＤを用いた照明装置を点灯するものである。照明装置は、例えば避難通路等の案内表示を行うための照明装置である。
【００１４】
常時電源回路は、例えば、フライバック式の回路、フォワード式の回路、商用電源をそのままトランスで降圧するレギュレータ電源方式のいずれでもよい。また、常時ＬＥＤ点灯回路は、ＬＥＤ光源部を流れる電流をフィードバックして、常時電源回路からの直流電力を制御する回路であってもよい。バッテリは、常時には常用電源回路からの直流電力を非常用電源として蓄積し、商用電源が停電となった非常時にＬＥＤ光源部に点灯用の電力を放電するものである。
【００１５】
非常時電源回路とは、商用電源が停電である場合にバッテリに蓄電された電力をＬＥＤ光源部に点灯用の電力として供給する回路である。非常時電源回路は、フライバック式の回路、フォワード式の回路、昇圧チョッパ式の回路、レギュレータ電源方式等のいずれでもよい。
【００１６】
安全回路とは、ＬＥＤ光源部の異常を監視し、異常が検出された場合にはＬＥＤ光源部への電力供給を停止する回路をいう。例えば、安全回路は、ＬＥＤ光源部の直列接続された所定個数のＬＥＤの電圧を監視し、所定個数のＬＥＤの電圧が閾値未満となったときはＬＥＤの短絡故障と判定し、ＬＥＤ光源部への電力供給を停止する。
【００１７】
電圧調整用素子とは、交換後のＬＥＤ光源部の直列接続された所定個数のＬＥＤの電圧が、変換前のＬＥＤ光源部の直列接続された所定個数のＬＥＤの電圧と同等となるように、変換後のＬＥＤ光源部の直列接続された所定個数のＬＥＤに直列に接続されるＬＥＤ光源部の直列接続された所定個数のＬＥＤの電圧を調整する素子をいう。すなわち、電圧調整用素子は、安全回路のＬＥＤの短絡故障を検出するＬＥＤ光源部の箇所に直列接続され、変更後のＬＥＤ光源部の直列接続された所定個数のＬＥＤの電圧を調整するための素子である。電圧調整用素子としては、例えば、ＬＥＤとほぼ同じ電流電圧特性を有するダイオードを用いることが望ましい。
【００１８】
請求項２の発明に係わるＬＥＤ点灯装置は、請求項１の発明において、前記常時ＬＥＤ点灯回路及び前記非常時電源回路から前記ＬＥＤ光源部のＬＥＤに供給する点灯用電流を設定するための電流設定部を前記ＬＥＤ光源部に設けたことを特徴とする。
【００１９】
電流設定部とは、ＬＥＤ光源部のＬＥＤの輝度特性に応じた点灯電流を設定するための設定部をいう。例えば、ＬＥＤ光源部のＬＥＤに流れる電流を検出する電流検出抵抗、あるいはＬＥＤ光源部のＬＥＤの輝度特性を識別する識別電気信号を設定するものである。常時ＬＥＤ点灯回路や非常時電源回路は、電流設定部に設定された情報に基づいて、ＬＥＤ光源部のＬＥＤに供給する点灯用電流を制御する。これにより、交換されたＬＥＤ光源部のＬＥＤの輝度特性に適合した点灯電流を供給することになる。
【発明の効果】
【００２０】
請求項１の発明によれば、ＬＥＤ光源部の直列接続された所定個数のＬＥＤが正常であるときには、ＬＥＤ光源部の直列接続された所定個数のＬＥＤの電圧を安全回路の閾値以上に保持するための電圧調整用素子を所定個数のＬＥＤに直列接続しているので、ＬＥＤ光源部を交換しても安全回路の閾値を変更することなく、安全回路の誤作動を回避できる。
【００２１】
請求項２の発明によれば、請求項１の発明の効果に加え、常時ＬＥＤ点灯回路や非常時電源回路は、電流設定部に設定された情報に基づいて、ＬＥＤ光源部のＬＥＤに供給する点灯用電流を制御するので、交換されたＬＥＤ光源部のＬＥＤの輝度特性に適合した点灯電流を供給できる。ＬＥＤ光源部を交換しても法的に定められた輝度とすることができる。
【図面の簡単な説明】
【００２２】
【図１】本発明の第１の実施の形態に係わるＬＥＤ点灯装置の回路構成図。
【図２】本発明の第１の実施の形態における安定回路でのＬＥＤ光源部のＬＥＤの短絡故障を判定する際の一例の説明図。
【図３】本発明の第２の実施の形態に係わるＬＥＤ点灯装置の実施例１の回路構成図。
【図４】図３に示したＬＥＤ点灯装置の常時及び非常時の点灯回路部分の説明図。
【図５】本発明の第２の実施の形態に係わるＬＥＤ点灯装置の実施例２の回路構成図。
【図６】図５に示したＬＥＤ点灯装置２９の常時及び非常時の点灯回路部分の説明図。
【図７】従来のＬＥＤ点灯装置における常時及び非常時の点灯回路部分の一例の説明図。
【発明を実施するための形態】
【００２３】
以下、本発明の実施の形態を説明する。図１は、本発明の第１の実施の形態に係わるＬＥＤ点灯装置の回路構成図である。商用電源１１からの交流は整流回路１２に入力され直流に変換される。整流回路１２で得られた直流は電源監視回路１３に入力されるとともに、平滑コンデンサＣ１で平滑されて常時電源回路１４に入力される。常時電源回路１４は整流回路１２で得られた直流電圧を降圧して常用電源を得るものであり、トランスＴｒ１、ダイオードＤ１、平滑コンデンサＣ２を介して充電回路１５に常用電源を供給するとともに、トランスＴｒ１、ダイオードＤ２、平滑コンデンサＣ３を介して常時ＬＥＤ点灯回路１６に常用電源を供給する。このように、交流電源１１が正常である常時においては、充電回路１５は常時電源回路１４のトランスＴｒ１、ダイオードＤ１、平滑コンデンサＣ２を介して得られる常用電源でバッテリ２１に非常用電源を蓄積する。
【００２４】
一方、常時ＬＥＤ点灯回路１６は、常時電源回路１４のトランスＴｒ１、ダイオードＤ２、平滑コンデンサＣ３を介して得られる常用電源で、ダイオードＤ３を通して点灯制御回路２２を介してＬＥＤ光源部１９に点灯用電流を供給する。また、マイクロコンピュータ２３には充電回路１５を介して常時電源回路１４からの電力が電源として入力される。マイクロコンピュータ２３には点検スイッチ２４が設けられており、この点検スイッチ２４は、擬似的に交流電源１１が停電したと同等の状態とするためのスイッチである。
【００２５】
次に、常時電源回路１４の電源回路１８は、常時ＬＥＤ点灯回路１６から負荷であるＬＥＤ光源部１９に供給する点灯用電流を定電流フィードバック回路２０を介してフィードバックし、ＬＥＤ光源部１９に供給する点灯用電流を制御する。
【００２６】
ＬＥＤ光源部１９のＬＥＤ３０には、電圧調整用素子３６が直列に接続されている。電圧調整用素子３６は、ＬＥＤ３０が正常であるときはＬＥＤ光源部１９の直列接続された所定個数のＬＥＤ３０の電圧を安全回路３５の閾値以上に保持するものである。
【００２７】
そして、安全回路３５は、電圧調整用素子３６が直列に接続されたＬＥＤ光源部１９の所定個数のＬＥＤ３０の電圧が閾値未満となったときは、ＬＥＤ光源部１９のＬＥＤ３０の短絡故障と判定する。
【００２８】
図２は、安定回路３５でのＬＥＤ光源部１９のＬＥＤ３０の短絡故障を判定する際の一例の説明図である。図２に示すように、ＬＥＤ光源部１９のＬＥＤ３０には、電圧調整用素子３６が直列に接続されている。図２では、ＬＥＤ３０に交互に電圧調整用素子３６が直列接続された場合を示している。安全回路３５は、電圧調整用素子３６がそれぞれ直列接続された３個のＬＥＤ３０ごとに電圧を検出し、その電圧を監視する。安全回路３５からのＬＥＤ３０の短絡故障信号はマイクロコンピュータ２３に入力され、マイクロコンピュータ２３は安全回路３５からのＬＥＤ３０の短絡故障信号を入力したときは、ＬＥＤ光源部への電力供給を停止する。
【００２９】
なお、図２では、所定個数として３個のＬＥＤ３０ごとに電圧を検出するようにしたが、３個に限らず１個は２個、さらには４個以上であってもよい。さらには、ＬＥＤ光源部１９を構成するすべての個数としてもよい。
【００３０】
次に、常時ＬＥＤ点灯回路１６は、通常時において、ＬＥＤ３０に電圧調整用素子３６が直列接続されたＬＥＤ光源部１９の点灯用電流を入力し、予め組み込まれた電流検出抵抗で定まるＬＥＤ光源部１９の負荷用電流となるように電流を制御する。同様に、非常時電源回路２５は、非通常時において、ＬＥＤ３０に電圧調整用素子３６が直列接続されたＬＥＤ光源部１９の点灯用電流を入力し、予め組み込まれた電流検出抵抗で定まるＬＥＤ光源部１９の負荷用電流となるように電流を制御する。
【００３１】
ＬＥＤ光源部１９には、ＬＥＤ光源部１９のＬＥＤ３０が正常であるときは、ＬＥＤ光源部１９の電圧を安全回路３５の閾値以上に保持する電圧調整用素子３６がＬＥＤ３０に直列に接続されているので、交換したＬＥＤ光源部１９のＬＥＤ３０の特性が異なり点灯用電流が異なる場合であっても、ＬＥＤ光源部１９の電圧を安全回路３５の閾値内に収めることができる。なお、交換したＬＥＤ光源部１９のＬＥＤ３０の特性の違いにより、交換前のＬＥＤ光源部１９との輝度が異なることがあるが、その場合には、例えば、交換したＬＥＤ光源部１９のＬＥＤ３０の前面にフィルタを設けて輝度を調整することになる。
【００３２】
第１の実施の形態によれば、ＬＥＤ光源部１９のＬＥＤ３０が正常であるときは、ＬＥＤ光源部１９の電圧を安全回路３５の閾値以上に保持する電圧調整用素子３６をＬＥＤ３０に直列接続しているので、ＬＥＤ３０の特性の異なるＬＥＤ光源部１９に交換しても安全回路３５の閾値を変更することなく、安全回路３０の誤作動を回避できる。
【００３３】
図３は本発明の第２の実施の形態に係わるＬＥＤ点灯装置２９の実施例１の回路構成図である。この第２の実施の形態は、図１に示した第１の実施の形態に対し、常時ＬＥＤ点灯回路１６及び非常時電源回路２５からＬＥＤ光源部１９のＬＥＤ３０に供給する点灯用電流を設定するための電流設定部３３を追加して設けたものである。図１と同一要素には、同一符号を付し重複する説明は省略する。
【００３４】
図３に示すように、ＬＥＤ光源部１９には、そのＬＥＤ光源部１９に供給すべき点灯用電流が設定された電流設定部３３が設けられており、定電流フィードバック回路２０は電流設定部３３に設定された点灯用電流をフィードバックする。これにより、常時ＬＥＤ点灯回路１６はＬＥＤ光源部１９のＬＥＤに供給する点灯用電流を制御する。
【００３５】
一方、非常時電源回路２５は、商用電源１１が停電となった非常時に起動し、バッテリ２１からの直流電圧を昇圧してＬＥＤ光源部の点灯用の非常用電源を点灯制御回路２２を介してＬＥＤ光源部１９に供給するとともに、マイクロコンピュータ２３に電源を供給するものである。商用電源１１が停電となったことは電源監視回路１３で検出される。
【００３６】
電源監視回路１３は商用電源１１が停電となったことを検出すると、マイクロコンピュータ２３に通知し、マイクロコンピュータ２３は非常時電源回路２５のＩＣ２６を起動する。ＩＣ２６は起動が掛けられると、ＬＥＤ光源部１９の電流設定部３３に設定された点灯用電流を入力し、ＬＥＤ光源部１９の点灯用電流が電流設定部３３の点灯用電流になるように、スイッチ素子２７をオンオフ制御してバッテリ２１の出力電圧を昇圧し、昇圧した電圧を、トランスＴｒ２、ダイオードＤ４、平滑コンデンサＣ４を介して点灯制御回路２２に非常用電源を供給するとともに、トランスＴｒ２、ダイオードＤ５、平滑コンデンサＣ５を介してマイクロコンピュータ２３に電源を供給する。
【００３７】
図４は、図３に示したＬＥＤ点灯装置２９の常時及び非常時の点灯回路部分の説明図である。図７に示した従来例に対し、常時ＬＥＤ点灯回路１６や非常時電源回路２５に組み込まれた電流検出用抵抗を電流設定部３３として、ＬＥＤ光源部１９に組み込んだものである。図７と同一要素には同一符号を付し重複する説明は省略する。
【００３８】
図４において、ＬＥＤ光源部１９には電流設定部３３が設けられている。電流設定部３３は、常時ＬＥＤ点灯回路１６からＬＥＤ光源部１９のＬＥＤ３０に供給する点灯用電流を設定するための電流検出抵抗３１ａが設けられるとともに、非常時電源回路２５からＬＥＤ光源部１９のＬＥＤ３０に供給する点灯用電流を設定するための電流検出抵抗３１ｂが設けられている。これら電流検出抵抗３１ａ、３１ｂは、スイッチ３４で切り替えられ、常時はＬＥＤ光源部１９のＬＥＤ３０は電流検出抵抗３１ａに接続されており、電源監視回路１３が商用電源１１が停電となったことを検出したときには、電流検出抵抗３１ａに切り替えられる。
【００３９】
例えば、誘導灯では常時と非常時との点灯電流値が異なり、常時と非常時と共に輝度が規格化されていることから、常時及び非常時共にＬＥＤ光源部１９側に電流を調整できる機能を具備させることは非常に有効である。
【００４０】
図５は本発明の第２の実施の形態に係わるＬＥＤ点灯装置２９の実施例２の回路構成図である。この実施例２は図３に示した実施例１に対し、電流設定部３３の設定された設定情報をマイクロコンピュータ２３に入力し、常時ＬＥＤ点灯回路１６や非常時電源回路２５の点灯用電流の制御に加え、マイクロコンピュータ２３でも点灯用電流の制御を行うようにしたものである。図３と同一要素には、同一符号を付し重複する説明は省略する。
【００４１】
図５において、電流設定部３３の設定情報は常時ＬＥＤ点灯回路１６や非常時電源回路２５に入力されると共に、マイクロコンピュータ２３にも入力される。常時ＬＥＤ点灯回路１６は、通常時において、予め組み込まれた電流検出抵抗で定まるＬＥＤ光源部１９の負荷用電流となるように電流を制御する。同様に、非常時電源回路２５は、非通常時において、予め組み込まれた電流検出抵抗で定まるＬＥＤ光源部１９の負荷用電流となるように電流を制御する。そして、マイクロコンピュータ２３は、常時ＬＥＤ点灯回路１６や非常時電源回路２５に対して、ＬＥＤ光源部１９のＬＥＤの特性に応じた負荷用電流となるような指令を出力する。
【００４２】
図６は、図５に示したＬＥＤ点灯装置２９の常時及び非常時の点灯回路部分の説明図である。図７に示した従来例に対し、ＬＥＤ光源部１９を識別する識別情報が設定された電流設定部３３をＬＥＤ光源部１９に組み込んだものである。図７と同一要素には同一符号を付し重複する説明は省略する。
【００４３】
電流設定部３３には、ＬＥＤ光源部１９を識別する識別情報が設定されている。図６では電源電圧を分圧した電圧情報でＬＥＤ光源部１９を識別する場合を示している。この識別情報は、そのＬＥＤ光源部１９を識別する情報であり、結果的に、そのＬＥＤ光源部１９のＬＥＤ特性に応じた点灯用電流を識別するための情報である。
【００４４】
常時においては、常時ＬＥＤ点灯回路１６は、定電流フィードバック回路２０を介してフィードバックされた点灯電流を電流検出抵抗３１に入力し、常時ＬＥＤ点灯回路１６の演算部３２は、電流検出抵抗３１の電圧値が所定値に維持されるようにＬＥＤ光源部１９の点灯用電流を演算して点灯制御回路２２に出力する。この場合、ＬＥＤ光源部１９に供給する点灯用電流は、交換前のＬＥＤ光源部１９に適した常時の点灯用電流を流すように制御される。
【００４５】
同様に、非常時においては、非常時電源回路２５は、ＬＥＤ光源部１９の点灯電流を図示省略の電流検出抵抗に入力し、電流検出抵抗の電圧値が所定値に維持されるようにＬＥＤ光源部１９の非常時の点灯用電流を演算して点灯制御回路２２に出力する。この場合も、ＬＥＤ光源部１９に供給する点灯用電流は、交換前のＬＥＤ光源部１９に適した非常時の点灯用電流を流すように制御される。
【００４６】
一方、マイクロコンピュータ２３は、ＬＥＤ光源部１９に組み込まれたＬＥＤ光源部１９を識別する識別情報を入力し、この識別情報により、そのＬＥＤ光源部１９のＬＥＤ特性に応じた点灯用電流を判定する。すなわち、マイクロコンピュータ２３は、ＬＥＤ光源部１９の識別情報に対応して、そのＬＥＤ光源部１９のＬＥＤ特性に応じた点灯用電流を予めテーブルに記憶しており、識別情報を入力したときは、そのテーブルを参照して、そのＬＥＤ光源部１９のＬＥＤ特性に応じた点灯用電流を取得する。
【００４７】
そして、常時ＬＥＤ点灯回路１６や非常時電源回路２５から出力される交換前のＬＥＤ光源部１９に適した点灯用電流に補正を加える制御指令を常時ＬＥＤ点灯回路１６や非常時電源回路２５に出力する。これにより、常時ＬＥＤ点灯回路１６や非常時電源回路２５は、そのＬＥＤ光源部１９のＬＥＤ特性に応じた点灯用電流をＬＥＤ光源部１９に出力することになる。
【００４８】
第２の実施の形態の実施例１、２によれば、第１の実施の形態に効果に加え、ＬＥＤ光源部１９側にＬＥＤの特性に応じた輝度を調節する電流設定部を配置させているので、常時ＬＥＤ点灯回路１６や非常時電源回路２５の変更なしに、そのＬＥＤ光源部１９のＬＥＤの特性に応じた輝度調整が可能となる。特に、実施例２の場合には、常時ＬＥＤ点灯回路１６や非常時電源回路２５に電流検出用抵抗を有している場合であっても、交換したＬＥＤ光源部１９のＬＥＤの特性に応じた輝度調整が可能となる。
【符号の説明】
【００４９】
１１…商用電源、１２…整流回路、１３…電源監視回路、１４…常時電源回路、１５…充電回路、１６…常時ＬＥＤ点灯回路、１８…電源回路、１９…ＬＥＤ光源部、２０…定電流フィードバック回路、２１…バッテリ、２２…点灯制御回路、２３…マイクロコンピュータ、２４…点検スイッチ、２５…非常時電源回路、２６…ＩＣ、２７…スイッチ素子、２９…ＬＥＤ点灯装置、３０…ＬＥＤ、３１…電流検出抵抗、３２…演算部、３３…電流設定部、３４…スイッチ、３５…安全回路、３６…電圧調整用素子
【図１】
2010205453.tif 000003
【図２】
2010205453.tif 000004
【図３】
2010205453.tif 000005
【図４】
2010205453.tif 000006
【図５】
2010205453.tif 000007
【図６】
2010205453.tif 000008
【図７】
2010205453.tif 000009